(57)【特許請求の範囲】
【請求項１】
被検眼の検査または測定を行う検眼部を有する装置本体と、被検者の顎を載せる顎受け台と、この顎受け台に載せられた被検者の額を当てる額受部とを備え、前記装置本体は、この顎受け台および額受部によって固定された被検者の顔に対して左右、上下、前後に移動可能な眼科装置において、
前記額受部の左右方向に対する中心位置を提示する提示手段を設けたことを特徴とする眼科装置。
【請求項２】
前記提示手段は、額受部の背面または前面に記されたセンターマークであることを特徴とする請求項１に記載の眼科装置。
【請求項３】
前記センターマークに厚みがあることを特徴とする請求項２に記載の眼科装置。
【請求項４】
前記センターマークが発光することを特徴とする請求項２または請求項３に記載の眼科装置。
【請求項５】
前記顎受けに被検者の顎が載せられたとき、または被検者の額が前記額受部に近づいたとき、前記センターマークの発光が停止されることを特徴とする請求項４に記載の眼科装置。
【請求項６】
前記顎受けに被検者の顎が載せられたとき、または被検者の額が前記額受部に近づいたとき、前記センターマークが発光することを特徴とする請求項２または請求項３に記載の眼科装置。
【請求項７】
前記提示手段は、前記額受部の左右間の中心位置を示すセンターマークを被検者の額に投影する投影光学系であることを特徴とする請求項１に記載の眼科装置。
【請求項８】
前記投影光学系は、前記額受部に設けられていることを特徴とする請求項７に記載の眼科装置。
【請求項９】
前記投影光学系の光源は、前記顎受けに被検者の顎が載せられたとき、または被検者の額が前記額受部に近づいたとき、消灯することを特徴とする請求項７または請求項８に記載の眼科装置。
【請求項１０】
前記投影光学系の光源は、前記顎受けに被検者の顎が載せられたとき、または被検者の額が前記額受部に近づいたとき、点灯することを特徴とする請求項７または請求項８に記載の眼科装置。
【請求項１１】
被検者が前記額受部に額を当てているとき、前記投影光学系の光が少なくとも上方へ光りが漏れることを特徴とする請求項８ないし請求項１０のいずれか１つに記載の眼科装置。
【発明の詳細な説明】
【技術分野】
【０００１】
この発明は、被検者の顎を受ける顎受け台と被検者の額を受ける額受けとを備えた眼科装置に関する。
【背景技術】
【０００２】
従来から、自動的にアライメントを行い、この後に被検眼の眼屈折力を測定する眼科装置が知られている（特許文献１参照）。
【０００３】
かかる眼科装置は、眼屈折力を測定する測定光学系と、被検眼に対する測定光学系のアライメントを検出するアライメント検出手段などとを測定部に設けている。
【０００４】
また、この眼科装置は、被検者の顎を載せる顎台が設けられており、この顎台に対して測定部が左右、上下、前後に移動可能となっている。
【先行技術文献】
【特許文献】
【０００５】
【特許文献１】特許第３６７６０５５号公報
【発明の概要】
【発明が解決しようとする課題】
【０００６】
このような眼科装置にあっては、被検者が顔を顎台に載せた際、被検者の顔が顎台に正しく載っているかどうか、つまり被検者の額が額受けに対して正しい位置に置かれているかどうかを確認する手段がなかった。
【０００７】
このため、例えば右眼を測定する場合、測定部を右側に移動させたとき、右眼がモニタ画面の中央部から大きく外れた位置に表示されたりし、再度、被検者の顔を顎台に載せ直してもらうことなる。このため、検査や測定の効率が低下してしまう問題があった。
【０００８】
この発明の目的は、検査や測定の効率を向上させることのできる眼科装置を提供することにある。
【課題を解決するための手段】
【０００９】
請求項１の発明は、被検眼の検査または測定を行う検眼部を有する装置本体と、被検者の顎を載せる顎受け台と、この顎受け台に載せられた被検者の額を当てる額受部とを備え、前記装置本体は、この顎受け台および額受部によって固定された被検者の顔に対して左右、上下、前後に移動可能な眼科装置において、
前記額受部の左右方向に対する中心位置を提示する提示手段を設けたことを特徴とする。
【発明の効果】
【００１０】
この発明によれば、検査や測定の効率を向上させることができる。
【図面の簡単な説明】
【００１１】
【図１】この発明に係る眼科装置の外観図を示した側面図である。
【図２】（Ａ）は眼科装置の額受部を示した正面図であり、（Ｂ）は斜視図であり、（Ｃ）は背面図であり、（Ｄ）は図（Ｃ）の斜視図である。
【図３】第２実施例の額受部の構成を示した断面図である。
【図４】第２実施例の他の例を示した説明図である。
【図５】第３実施例の額受部の構成を示した断面図である。
【図６】第３実施例の他の例を示した説明図である。
【図７】第４実施例の額受部の構成を示した断面図である。
【図８】第４実施例の他の例を示した説明図である。
【図９】第５実施例の額受部の構成を示した断面図である。
【図１０】額に投影されたスポット光を示した説明図である。
【図１１】額と額受部５０の前面５Ａとの間の隙間から散乱光が出射される状態を示した説明図である。
【図１２】図１１の散乱光の状態を背面から見た場合の説明図である。
【図１３】第５実施例の他の例を示した説明図である。
【図１４】図１３の散乱光の状態を背面から見た場合の説明図である。
【図１５】第６実施例を示した説明図である。
【発明を実施するための最良の形態】
【００１２】
以下、この発明に係る眼科装置の実施の形態である実施例を図面に基づいて説明する。
【実施例】
【００１３】
［第１実施例］
図１において、１は眼科装置である。この眼科装置１は、基台Ｋの上に設けられたベース部２と、検眼ヘッド３と、顎受部（顎受け台）４とから概略構成されている。その顎受部４にはこれと一体に額受部５０が設けられている。
【００１４】
被検者は、顎受部４に顎を置き、額受部５０に額を当てた状態で検査を受ける。
【００１５】
検眼ヘッド３の内部には、破線で示すように検眼部６が設けられており、この検眼部６は公知の観察・撮影用の観察光学系や屈折力などを測定する測定光学系が設けられている。この検眼部６により、被検者の前眼部、被検眼の角膜、眼底等が観察・撮影可能であり、眼底の検査なども行なえるようになっている。
【００１６】
検眼ヘッド３は、検眼ヘッド３の頂部９に設けられたモニタ部１０を操作することにより、被検眼に対して上下左右前後方向に駆動される。すなわち、検眼ヘッド３は顎受部４および額受部５０により固定された被検者の顔に対して上下左右前後方向に移動可能となっている。
【００１７】
モニタ部１０には、測定や検査の際に被検者の前眼部が表示されるようになっている。
【００１８】
基台Ｋの前面には、図２（Ａ）〜（Ｄ）に示すように正面視が略Ｙ字形を呈した支持部２０が取り付けられており、この支持部２０の上部には左右に分かれた枝部２１，２１が形成され、この枝部２１，２１間に横架された横架部２２が形成されている。この横架部２２の中央部に円筒部２３が形成され、この円筒部２３に顎受部４が設けられている。
【００１９】
枝部２１，２１の先端部には、顎受部４を囲んだフレーム２４が一体形成されている。
【００２０】
フレーム２４は、枝部２１，２１の先端部から上方に延びた支柱部２４Ａ，２４Ａと、この支柱部２４Ａ，２４Ａ間を連結した連結部２４Ｂとを有している。この連結部２４Ｂに額当て５が設けられており、この額当て５と連結部２４Ｂとで額受部５０が構成されている。
【００２１】
額受部５０の前面５Ａと背面５Ｂ、すなわち額当て５の前面５Ａと連結部２４Ｂの後面（背面）５Ｂには、額受部５０の左右方向に対する中心位置を提示するセンターマークであるセンターライン（提示手段）Ｌ１，Ｌ２が記されている。このセンターラインＬ１，Ｌ２は例えば印刷あるいはシールなどを貼って記したものである。
【００２２】
額受部５０の背面５ＢにセンターラインＬ２が記してあることにより、被検者が顎受部４に顎を載せて額受部５０に額を当てた際、被検者の顔すなわち額が額受部５０に正しく当てられているかどうかをそのセンターラインＬ２と被検者の顔をみることにより確認することができ、正しく載っていなければ直ちに載せ直すことができる。このため測定の効率を向上させることができる。
【００２３】
また、被検者も額受部５０の前面５Ａに記されているセンターラインＬ１が額（顔）の中心位置にくるように、顎受部４に顎を載せて額を額受部５０に当てることができるので、顔を間違った位置や方向に向けて顎受部４に載せてしまうことを防止することができ、このため測定の効率を向上させることができる。
【００２４】
この第１実施例では、額受部５０の前面５Ａと背面５ＢにセンターラインＬ１，Ｌ２を記しているがどちらか一方であってもよい。また、必ずしもラインであるある必要はなく三角や四角や丸などのセンターマークやその他のセンターマークであってもよい。
［第２実施例］
図３は第２実施例の提示手段２Ｌを示したものであり、この提示手段２Ｌは上下方向に延びた２つのセンターラインを形成するライン部２Ｌ１，２Ｌ２を有し、ライン部２Ｌ１，２Ｌ２の上部が連結部２Ｒで連結されている。ライン部２Ｌ１，２Ｌ２は所定の厚さを有し、立体的になっている。この提示手段２Ｌは例えば樹脂でクリップ状に形成したもので、ライン部２Ｌ１，２Ｌ２によって額受部５０を挟み込んで額受部５０に取り付けられている。
【００２５】
額受部５０の前面５Ａには上下方向に延びた溝５ｍが形成され、この溝５ｍにライン部２Ｌ１が入っており、ライン部２Ｌ１の表面２Ｌ１ａが額受部５０の前面５Ａから少し突出しており、被検者の額を額受部５０の前面５Ａに当てたとき、ライン部２Ｌ１に額が当たってそのライン部２Ｌ１の位置が分かり、被検者が自ら額の中心位置とライン部２Ｌ１とが一致するように顔を顎受部４に載せられるようになっている。
【００２６】
また、ライン部２Ｌ２は額受部５０の背面５Ｂから所定の厚さだけ突出しているので、検者はライン部２Ｌ２の位置を検眼ヘッド３の側方からも確認することができる。
【００２７】
この第２実施例では、２つのライン部２Ｌ１，２Ｌ２を設けているがどちらか一方のライン部であってもよい。
［他の例］
図４は第２実施例の他の例を示したものであり、ライン部２Ｌ２の上部にさらに上方に延びたライン部２Ｌ３を設けたものであり、額受部５０の中心位置がどこから見ても分かるようにしたものである。
［第３実施例］
図５は第３実施例の提示手段３Ｌを示したものである。この提示手段３Ｌは、透明な樹脂の導光部材３ＤとＬＥＤなどの光源３０とを備えている。
【００２８】
導光部材３Ｄは、センターラインを形成するライン部３Ｄ１，３Ｄ２と、ライン部３Ｄ１，３Ｄ２を連結した連結部３Ｒと、連結部３Ｒに形成された導光部３Ｄ３とを有している。
【００２９】
額受部５０の上部には穴５Ｈが形成され、この穴５Ｈの底部には光源３０が配置され、穴５Ｈの上部には導光部３Ｄ３が挿入されている。
【００３０】
光源３０から発光された光は導光部３Ｄ３から入射して導光部材３Ｄのライン部３Ｄ１，３Ｄ２の表面で乱反射し、ライン部３Ｄ１，３Ｄ２や連結部３Ｒの表面が発光した状態となる。このライン部３Ｄ１，３Ｄ２と連結部３Ｒの発光により、額受部５０の中心位置を検者および被検者が認識することができる。
【００３１】
この第３実施例では、２つのライン部３Ｄ１，３Ｄ２を設けているがどちらか一方のライン部であってもよい。また、連結部３Ｒを発光させなくてもよい。
［他の例］
図６は、第３実施例の他の例を示したものであり、ライン部３Ｄ２の上部に上方に延びたライン部３Ｄ４を設け、このライン部３Ｄ４の表面で乱反射させて発光状態にさせるようにしたものである。
［第４実施例］
図７は、第４実施例の提示手段４Ｌを示したものである。この提示手段４Ｌは、導光部材３Ｄと、光源３０と、スイッチＳ１とを備えている。スイッチＳ１は額受部５０に設けられるとともにスイッチＳ１の接触子Ｓａを額受部５０の前面５Ａから前方へ突出させたものである。
【００３２】
スイッチＳ１の接触子Ｓａが被検者の額に当たって押されると光源３０を消灯させるようにしたものである。この消灯により、光源３０の光が測定の邪魔にならないようにしたものである。
【００３３】
第４実施例では、スイッチＳ１を額受部５０に設けているが、顎受部４に設け、顎受部４に顎が載せられたら消灯するようにしてもよい。
【００３４】
第４実施例では、被検者の額が額受部５０近傍に近づいたら、光源３０を消灯させるが、逆に点灯させるようにしてもよい。この場合、点灯してから一定時間経過したら、額が正しい位置に額受部５０に当てられたと判断して消灯させる。
［他の例］
図８は、第４実施例の他の例を示したもので、導光部材３Ｄにライン部３Ｄ４を設けたものであり、検者が額受部５０の中心位置がより一層分かるようにしたものである。
［第５実施例］
図９は、第５実施例の提示手段である投影光学系４０を示したものである。この投影光学系４０は、センターマークを被検者の額に投影するものであり、額受部５０の中心（左右方向に対する中心位置）に設けた穴６０に設けられている。
【００３５】
投影光学系４０は、発光ダイオードなどの光源４１と、この光源４１から発光された光を平行光束にするコリメートレンズ４２などから構成されている。
【００３６】
光源４１から発光されて光束は、コリメートレンズ４２によって平行光束なって、図１０に示すように被検者の額Ｅｈにセンターマークである円形のスポット光Ｈとなって投影される。
【００３７】
検者は、被検者の額Ｅｈが額当て５に当てられる前に、被検者の額Ｅｈに投影されたスポット光Ｈを見ることにより、その額Ｅｈの中心位置が額受部５０の中心位置にくるように被検者の顔が顎受部４に載ったか否かを判断することができる。正しく載っていなければ直ちに載せ直すことができる。このため測定の効率を向上させることができる。
【００３８】
被検者は、穴６０を額受部５０のセンターマークとして中心を判断することができるので、速やかに正しい位置へ顎受部４に顎を載せるとともに額Ｅｈを額当て５に当てることができる。
【００３９】
この第５実施例では、円形のスポット光Ｈを被検者の額Ｅｈに投影するが、必ずしも、円形である必要はなく、例えば星の形状やその他の別の形状であってもよい。
【００４０】
また、被検者の額Ｅｈが額当て５に当てられると、図１１に示すように、額Ｅｈが額受部５０に設けた穴６０を塞いでしまうことがないので、額Ｅｈと額受部５０の前面５Ａとの間の隙間から額Ｅｈで反射した反射光が散乱光Ｆ１となって図１１および図１２に示すように上方や斜め上方へ散乱していく。この散乱光Ｆ１の出射位置Ｆｐが額受部５０の中心位置を示すことになるので、被検者の額Ｅｈが額当て５に当てられた後も、額Ｅｈの中心位置が額受部５０の中心位置となるように被検者の顔が顎受部４に載ったか否かを判断することができ、正しく載っていなければ直ちに載せ直すことができることになる。
【００４１】
この第５実施例も、第４実施例や第４実施例の他の例と同様にスイッチＳ１を額受部５０や顎受部４に設け、スイッチＳ１の接触子Ｓａが被検者の額に当たって押されたときや顎が載せられたときに光源４１を消灯あるいは点灯させるようにしてもよい。
［他の例］
図１３は第５実施例の他の例を示したものであり、この他の例は、額受部５０に穴６１から上方に延びるとともに穴６０に連通した穴６１を形成し、この穴６１から光源４１の光の一部が散乱光Ｆ２として常に漏れるようにしたものである。
【００４２】
この他の例によれば、穴６０が額Ｅｈによって塞がれても、図１４に示すように、穴６１から散乱光Ｆ２が出射されるので、額Ｅｈの中心位置が額受部５０の中心位置となるように被検者の顔が顎受部４に載ったか否かを確実に判断することができる。
［第６実施例］
図１５は第６実施例を示したものであり、この第６実施例では、額受部５０の上部の左側（図１５において）の角部に切欠５１を設け、この切欠５１に孔５２を設け、この孔５２に投影光学系４０を設けたものである。
【００４３】
この第６実施例は、スポット光で前方を照明する他に切欠５１により斜め上方も照明するようにしたものである。この斜め上方への照明はレンズ４２の外周近傍を通る光やレンズ４２の周辺から漏れる光によって行われる。
【００４４】
この第６実施例によれば、第５実施例と同様な効果を得ることができる。
【００４５】
この第６実施例も、第４実施例や第４実施例の他の例と同様にスイッチＳ１を額受部５０や顎受部４に設け、スイッチＳ１の接触子Ｓａが被検者の額に当たって押されたときや顎が載せられたときに光源４１を消灯あるいは点灯させるようにしてもよい。
【００４６】
この発明は、上記実施例に限られるものではなく、特許請求の範囲の各請求項に係る発明の要旨を逸脱しない限り、設計の変更や追加等は許容される。
【符号の説明】
【００４７】
３        検眼ヘッド（装置本体）
４        顎受部（顎受け台）
５        額当て
６        検眼部
４０      投影光学系（提示手段）
５０      額受部
Ｌ１      センターライン（センターマーク：提示手段）
Ｌ２      センターライン（センターマーク：提示手段）
【図１】
0005613574.tif 000002
【図２】
0005613574.tif 000003
【図３】
0005613574.tif 000004
【図４】
0005613574.tif 000005
【図５】
0005613574.tif 000006
【図６】
0005613574.tif 000007
【図７】
0005613574.tif 000008
【図８】
0005613574.tif 000009
【図９】
0005613574.tif 000010
【図１０】
0005613574.tif 000011
【図１１】
0005613574.tif 000012
【図１２】
0005613574.tif 000013
【図１３】
0005613574.tif 000014
【図１４】
0005613574.tif 000015
【図１５】
0005613574.tif 000016